(57)【要約】【課題】携帯端末機画像を擬似的ではあっても現実感を持って見ることを可能とする携帯端末機画像の修飾具、特に擬似的な映画のように見せる携帯端末機画像の修飾具を提供すること。【解決手段】携帯端末機の画像表示部を一側に装着可能な遮光性の筒体であり、筒体の他側に設けられた覗き穴と、筒体の内部において少なくとも前記画像表示部の周縁及び筒の下側を含んで設けられた現実画と、画像表示部を前記覗き穴に向けて拡大するレンズと、画像表示部からの光を現実画に投射する鏡とを備える携帯端末機画像の修飾具を提供する。現実画として映画館の舞台及び客席の絵画又は写真を用いることで、擬似的な映画館のように見ることが可能となる【選択図】図５
2015079112.tif 000002
【特許請求の範囲】
【請求項１】
携帯端末機の画像表示部を一側に装着可能な遮光性の筒体と、
前記筒体の他側に設けられた覗き穴と、
前記筒体の内部において少なくとも前記画像表示部の周縁及び筒体の下側を含んで設けられた現実画と、
前記画像表示部を前記覗き穴に向けて拡大するレンズと、
前記画像表示部からの光を前記現実画に投射する鏡とを備えることを特徴とする、携帯端末機画像の修飾具。
【請求項２】
前記レンズが板状のフレネルレンズであることを特徴とする、請求項１に記載の携帯端末機画像の修飾具。
【請求項３】
前記鏡が前記レンズの上方に設けられていることを特徴とする、請求項１又は２に記載の携帯端末機画像の修飾具。
【請求項４】
前記レンズが、前記画像表示部と前記覗き穴とを結ぶ直線に沿って移動可能であることを特徴とする、請求項１〜３のいずれか１項に記載の携帯端末機画像の修飾具。
【請求項５】
前記覗き穴が、両眼で覗き込むことができるものであることを特徴とする、請求項１〜４のいずれか１項に記載の携帯端末機画像の修飾具。
【発明の詳細な説明】
【技術分野】
【０００１】
本発明は、携帯端末機画像の修飾具、特に携帯端末機画像を擬似的な映画のように見せる修飾具に関する。
【背景技術】
【０００２】
映画、テレビドラマ等が、映画館を訪れず、テレビを見ることなく、携帯電話（スマートフォンを含む）、タブレットＰＣ等の携帯端末機によって視聴できるようになった。
【０００３】
携帯端末機によって視聴する際には、画像が小さいので、映画館や大画面のテレビで見るような臨場感を得ることが困難である。擬似的ではあってもかかる臨場感を求める視聴者は多い。実際、特許文献１においては映画館に相当する臨場感をテレビによって得ることが志向されている。（もっとも、特許文献１は実施可能な具体的な方法が開示されていない。）
【０００４】
テレビよりも画面の小さな携帯端末機において、映画館に相当する臨場感を得る技術は知られていなかった。
【先行技術文献】
【特許文献】
【０００５】
【特許文献１】特開２００７−１０４２５１号公報
【発明の概要】
【発明が解決しようとする課題】
【０００６】
本発明は、携帯端末機画像を擬似的ではあっても現実感を持って見ることを可能とする携帯端末機画像の修飾具、特に擬似的な映画のように見せる携帯端末機画像の修飾具を提供することを課題とする。
【課題を解決するための手段】
【０００７】
本発明の携帯端末機画像の修飾具は、
携帯端末機の画像表示部を一側に装着可能な遮光性の筒体と、
前記筒体の他側に設けられた覗き穴と、
前記筒体の内部において少なくとも前記画像表示部の周縁及び筒体の下側を含んで設けられた現実画と、
前記画像表示部を前記覗き穴に向けて拡大するレンズと、
前記画像表示部からの光を前記現実画に投射する鏡とを備えることを特徴とする。
【０００８】
遮光性の筒体を介して覗き穴から画像を見ることで、周囲の物が見えず、現実感を妨げるものがなくなる。
携帯端末機画像の周囲を含む箇所に現実画、例えば映画館の舞台及び客席、を備え、携帯端末機画像を現実画の中で見ているような感覚を得ることができる。ここで「現実画」とは、携帯端末機画像を見る際に現実感を与えるような携帯端末機画像周辺の絵画、写真等を言う。映画館の舞台及び客席の絵画、写真等は、携帯端末機画像を映画館で見ているような感覚をもたらす。他の絵画、写真等であっても、現実感を与えるようなものが種々考えられる。例えば、携帯端末機画像が新郎新婦を撮影したものであれば結婚式場の絵画、写真等、携帯端末機画像が野鳥を撮影したものであれば森林、湖等の風景の結婚式場の絵画、写真等、が現実画となる。
携帯端末機画像は小型であるので、レンズによって拡大する。発明の実装の形態によって現実画も合わせて拡大される。
現実画を見るためには光が必要であるが、遮光性の筒体の中における光源は携帯端末機の画像表示部のみである。鏡によって画像表示部からの光を現実画に投射することによって現実画を見ることができるようにする。
【０００９】
本発明の携帯端末機画像の修飾具は、
前記レンズが板状のフレネルレンズであることを特徴とする。
【００１０】
レンズは、画像を拡大できるものであればいかなるものであってもかまわない。その中で、板状のフレネルレンズは狭い筒体の中で用いるのに適している。板状のフレネルレンズを用いることが好ましい。
【００１１】
本発明の携帯端末機画像の修飾具は、
前記鏡が前記レンズの上方に設けられていることを特徴とする。
【００１２】
鏡は、現実画の全体に投光することが好ましい。現実画として映画館のものを用いる場合には、客席の現実画が下方にあるので、鏡を上方に配することで下方の現実画に投光する。むろん、現実画の位置に対応してレンズの上方に替えて（あるいは加えて）、レンズの周囲の各所に鏡を配してよい。レンズを通る携帯端末機画像の障害とならないよう、レンズの周囲に鏡を設けることが好ましい。
【００１３】
本発明の携帯端末機画像の修飾具は、
前記レンズが、前記画像表示部と前記覗き穴とを結ぶ直線に沿って移動可能であることを特徴とする。
【００１４】
レンズによる拡大率及びレンズの焦点位置は、使用者の好みや視力に依存する。レンズを移動させて使用者に合わせた環境を実現できることが好ましい。
なお、実装の形態として、２枚以上のレンズを用いて、そのうちの１枚を移動可能とすることもできる。
【００１５】
本発明の携帯端末機画像の修飾具は、
前記覗き穴が、両眼で覗き込むことができるものであることを特徴とする。
【００１６】
擬似的な現実感を得るためには、両目を使用して携帯端末機画像を見ることが好ましい。
【発明の効果】
【００１７】
本発明の携帯端末機画像の修飾具は、携帯端末機画像を擬似的ではあっても現実感を持って見ることを可能とする。特に現実画として映画館の舞台及び客席の絵画又は写真を用いることで、擬似的な映画のように見ることが可能となる。
【図面の簡単な説明】
【００１８】
【図１】図１は、携帯端末機画像の修飾具を側面から見た図である。
【図２】図２は、携帯端末機画像の修飾具を上面から見た図である。
【図３】図３は、携帯端末機装着具と筒体本体を示す分解斜視図である。
【図４】図４は、接眼具を示す図である。
【図５】図５は、携帯端末機画像の修飾具の断面図である。
【図６】図６は、使用者が見る状態を示す図である。
【発明を実施するための形態】
【００１９】
図１は、携帯端末機画像の修飾具を側面から見た図である。携帯端末機画像の修飾具１の筒体本体２の一側に携帯端末機装着具３が、他側に接眼具４が付されている。また、コントローラ５が設けられている。
【００２０】
図２は、携帯端末機画像の修飾具を上面から見た図である。接眼具４は左右に幅広である。後述のとおり、左右両眼で見るためである。
【００２１】
図３は、携帯端末機装着具と筒体本体を示す分解斜視図である。携帯端末機装着具３は、携帯端末機（本実施例ではスマートフォンとする）を固着し、画像表示面３１を筒体本体２に向ける。固着のために突起３２を有する。なお、固着の方法は突起によらずに他の方法でもよい。
【００２２】
筒体本体２には、開口部２１が設けられている。携帯端末機装着具３を筒体本体２に装着して筒体本体２の他側から見ると、開口部２１には画像表示部が見える。
【００２３】
図４は、接眼具を示す図である。接眼具４は、顔面に密着する可撓性を持ち（例えばゴム製）、右目用覗き穴４１ｒ及び左目用覗き穴４１ｌが設けられている。
【００２４】
図５は、携帯端末機画像の修飾具の断面図である。図２におけるＡ線の断面を示す。筒体本体２には、可動レンズ６ａ及び固定レンズ６ｂが設けられている。２枚のレンズはいずれも板状のフレネルレンズである。２枚のレンズを合わせて、画像表示部２１が２倍程度に拡大される。なお、拡大倍率は適宜設計してよい。また、可動レンズ６ａ及び固定レンズ６ｂのいずれか１枚のみとすることもできる。
【００２５】
可動レンズ６ａを把持する把持具６１はワームギア６２に接続され、モータ（非図示）によってワームギア６２を回転することで可動レンズ６ａを前後（図において左右）に移動させることができる。コントローラ５によってモータを制御する。
【００２６】
なお、モータとワームギアによらず、例えば筒体本体２から突出したネジ等を操作して機械的に（手動で）可動レンズ６ａを前後に移動させることも可能である。
【００２７】
可動レンズ６ａの上方には、鏡７が設けられている。鏡７は、画像表示部２１の光を反射して現実画８に投射する。なお、鏡は、可動レンズ６ａの上方でなく、筒体本体２内の適宜な箇所に設けてもよい。
【００２８】
現実画８は、筒体本体２の内部に貼付されている。画像表示部２１の周縁（同一の面）の現実画を符号８ａで、筒体本体２の下面の現実画を符号８ｂで示す。
【００２９】
図６は、使用者が見る状態を示す図である。図５におけるＢ方向の状態を示す。現実画８の中に画像表示部２１が見え、全体として映画館のように見える。画像表示部の周縁の現実画８ａには映画館の舞台及びカーテンが、筒体本体の下面の現実画８ｂには客席が描かれている。
【００３０】
使用者は、接眼具４から覗き込んでレンズ６によって拡大されたものを見ることができ、擬似的に映画館で映画を鑑賞しているような感覚を得ることができる。その際、可動レンズ６ａを自己の視力や嗜好に合わせて移動することで、擬似映画館の効果を最大に得ることができる。
【産業上の利用可能性】
【００３１】
携帯端末機画像を擬似的ではあっても現実感を持って見ることを可能とする、特に現実画として映画館の舞台及び客席の絵画又は写真を用いることで、擬似的な映画館のように見ることが可能となる携帯端末機画像の修飾具であり、多くの個人による利用が考えられる。
【符号の説明】
【００３２】
１    携帯端末機画像の修飾具
２    筒体本体
２１  開口部（画像表示部）
３    携帯端末機装着具
４    接眼具
４１  覗き穴
５    コントローラ
６    レンズ
７    鏡
８    現実画
【図１】
2015079112.tif 000003
【図２】
2015079112.tif 000004
【図３】
2015079112.tif 000005
【図４】
2015079112.tif 000006
【図５】
2015079112.tif 000007
【図６】
2015079112.tif 000008